(57)【要約】【課題】追い焚き用熱交換器の二次側に浴槽中の浴水を循環させ一次側に貯湯タンクの高温水を循環させ貯湯タンク内の高温水の温度低下を防止して追い焚きが可能な追い焚き用熱交換器付きヒートポンプ式給湯設備を提供する。【解決手段】ヒートポンプユニット１１で加圧されて高温になった冷媒が高温側熱交換器１５の一次側１４を通過し、貯湯タンク２０下部から供給された水が高温側熱交換器１５の二次側１９を通過して得られた高温水を貯湯タンク２０上部に戻して貯留し、必要に応じて浴槽３２に浴水として供給するヒートポンプ式給湯設備１０において、浴槽３２中の浴水を二次側に循環させて加熱する追い焚き用熱交換器４６が設けられ、追い焚き用熱交換器４６の一次側には貯湯タンク２０上部からの高温水を流入させると共に、一次側の熱交換後の温水を高温側熱交換器１５の二次側１９に戻す。【選択図】　　　　図１
2004053204.tif 000002
【特許請求の範囲】
【請求項１】
ヒートポンプユニットで加圧されて高温になった冷媒が高温側熱交換器の一次側を通過し、貯湯タンク下部から供給された水が該高温側熱交換器の二次側を通過して得られた高温水を該貯湯タンク上部に戻して貯留し、必要に応じて浴槽に浴水として供給するヒートポンプ式給湯設備において、
前記浴槽中の浴水を二次側に循環させて加熱する追い焚き用熱交換器が設けられ、該追い焚き用熱交換器の一次側には前記貯湯タンク上部からの高温水を流入させると共に、該追い焚き用熱交換器の一次側の熱交換後の温水を前記高温側熱交換器の二次側に戻すことを特徴とする追い焚き用熱交換器付きヒートポンプ式給湯設備。
【請求項２】
請求項１記載の追い焚き用熱交換器付きヒートポンプ式給湯設備において、前記冷媒に二酸化炭素を使用することを特徴とする追い焚き用熱交換器付きヒートポンプ式給湯設備。
【発明の詳細な説明】
【０００１】
【発明の属する技術分野】
本発明は、冷媒の凝縮熱を利用して水を加熱し貯湯タンクに貯留し必要に応じて浴槽に浴水として供給すると共に、浴槽中の浴水の保温を行なう追い焚き用熱交換器を備えたヒートポンプ式給湯設備に関する。
【０００２】
【従来の技術】
従来、ヒートポンプ式給湯装置で水を加熱して得られた高温水を貯湯タンクに貯留し、必要に応じて浴槽に浴水として供給する場合、浴槽中の浴水を保温するためには、ヒートポンプ式給湯装置とは別に追い焚き用の熱源として電気ヒータ、あるいはガス又は石油を燃料とした熱源装置を準備する必要があった。電気ヒータを使用する場合は、設置スペースや製造コストの制約から、使用できる電気ヒータは１ｋＷ程度の小発熱量のヒータとなっている。そのため、追い焚きにより浴水を再び設定温度まで沸き上げるのに要する追い焚き所要時間が長くなるという問題が生じていた。また、追い焚きを行なう時間帯は、通常、電気料金が高額に設定されている昼間時間帯であるため、追い焚き所要時間が長いという問題とあいまって、追い焚きに要する電気代、すなわちランニングコストが高くなるという問題があった。そのため、電気料金が低額に設定されている深夜時間帯にヒートポンプ式給湯装置を用いて低コストに高温水を生成させて貯留し昼間時間帯にそれを利用することにより総電気料金を低減させ経費の節約を図るという目的の達成が困難になっていた。
一方、ガス又は石油を燃料とした熱源装置を準備する場合は、追い焚きそのものに要するランニングコストは低減できるが、熱源装置の設置に大きなスペースが必要になると共に、熱源装置の製造コストが高価となるためヒートポンプ式給湯装置としての総製造コストが大きく上昇するという問題が生じる。
【０００３】
【発明が解決しようとする課題】
そのため、ヒートポンプ式給湯装置の貯湯タンクに貯留されている高温水を熱交換器の一次側に循環させて熱源とし、浴槽中の浴水をこの熱交換器の二次側に循環させて浴水を再加熱する貯湯タンク内の高温水を利用した熱交換器方式の追い焚き方法が提案されている。この方法では、追い焚きのために新たに熱源装置を設ける必要がなく、追い焚きのランニングコストも小さくできるという利点がある。しかしながら、一次側の熱交換後の温水を貯湯タンクに戻すと、貯湯タンク内の高温水が貯留されている高温層に中途半端な温度の温水が戻ることになり、貯湯タンク内に撹拌流が生じて高温水の温度が低下するという問題が発生する。また、貯湯タンクに貯留されている高温水を一次側に循環させるためのポンプを備えた送水設備を新たに設ける必要が生じ、製造コストを上昇させるという問題が生じる。更に、ヒートポンプに使用している冷媒の凝縮温度が低く、迅速な追い焚きを可能とする高温水が得られないという問題が生じる。
本発明はかかる事情に鑑みてなされたもので、追い焚き用熱交換器の二次側に浴槽中の浴水を循環させ一次側に貯湯タンクの高温水を循環させて浴水の追い焚きを行なっても貯湯タンク内の高温水の温度低下を防止することが可能な追い焚き用熱交換器付きヒートポンプ式給湯設備を提供することを目的とする。
【０００４】
【課題を解決するための手段】
前記目的に沿う本発明に係る追い焚き用熱交換器付きヒートポンプ式給湯設備は、ヒートポンプユニットで加圧されて高温になった冷媒が高温側熱交換器の一次側を通過し、貯湯タンク下部から供給された水が該高温側熱交換器の二次側を通過して得られた高温水を該貯湯タンク上部に戻して貯留し、必要に応じて浴槽に浴水として供給するヒートポンプ式給湯設備において、前記浴槽中の浴水を二次側に循環させて加熱する追い焚き用熱交換器が設けられ、該追い焚き用熱交換器の一次側には前記貯湯タンク上部からの高温水を流入させると共に、該追い焚き用熱交換器の一次側の熱交換後の温水を前記高温側熱交換器の二次側に戻している。
【０００５】
つまり、貯湯タンクに貯留されている高温水を追い焚き用熱交換器の一次側に追い焚き用の熱源として流入させている。これにより、浴水の追い焚き用に新たな熱源を設置する必要がなくなる。また、追い焚き用熱交換器の一次側から排出する熱交換後の温水はヒートポンプユニットの高温側熱交換器の二次側に戻しているので、温水を高温側熱交換器で再加熱し高温水として貯湯タンクに戻すことができる。このため、追い焚き用に使用できる高温水の量に制約が生じない。また、高温側熱交換器の二次側に戻すことにより、高温側熱交換器の二次側に設けられている送水設備を利用して貯湯タンクに貯留されている高温水を追い焚き用熱交換器の一次側に供給することができ、高温水の供給用の装置を新たに設置する必要がなくなる。更に、追い焚き用熱交換器の一次側から排出される温水の再加熱に高温側熱交換器を利用するので、温水の再加熱用に新たな熱源を設置する必要がなくなる。その結果、設備の設置スペースを小さくして設備自体をコンパクトに製造することができると共に、設備の総製造コストを低減させることができる。
【０００６】
本発明に係る追い焚き用熱交換器付きヒートポンプ式給湯設備において、前記冷媒に二酸化炭素を使用することができる。
冷媒に二酸化炭素を使用すると、ヒートポンプユニットの低温側熱交換器でガス化させた冷媒を圧縮機で圧縮することにより、冷媒の温度を、例えば１２０℃程度にまで上げることができる。その結果、高温側熱交換器で生成する高温水の温度を、例えば９０℃程度にまで容易に上昇させて貯留することができる。
【０００７】
【発明の実施の形態】
続いて、添付した図面を参照しつつ、本発明を具体化した実施の形態につき説明し、本発明の理解に供する。
ここに、図１は本発明の一実施の形態に係る追い焚き用熱交換器付きヒートポンプ式給湯設備の説明図である。
図１に示すように、本発明の一実施の形態に係る追い焚き用熱交換器付きヒートポンプ式給湯設備１０は、ヒートポンプユニット１１及び貯湯ユニット１２を有している。以下、これらについて詳細に説明する。
ヒートポンプユニット１１は、冷媒の一例である二酸化炭素のガスを圧縮する圧縮機１３と、圧縮されて高圧高温となった二酸化炭素ガスが一次側１４を通過して熱交換を行なう高温側熱交換器１５と、熱交換されて温度が低下した高圧の二酸化炭素ガスを断熱状態で膨張させて低温低圧の二酸化炭素の液体にする膨張弁１６と、低温低圧の二酸化炭素の液体に図示しない送風ファンにより外気を吹きつけて加熱し再びガスにする低温側熱交換器１７と、これらの各機器１３、１５、１６、１７を接続するヒートポンプ配管１８を有している。
【０００８】
このような構成とすることにより、低温側熱交換器１７で外気により加熱されてガスとなった二酸化炭素をヒートポンプ配管１８を介して圧縮機１３に流入させ圧縮することにより、二酸化炭素ガスを高圧高温（例えば、最高圧力が１２．５ＭＰａ、最高温度が１２０℃）の状態にすることができる。そして高温高圧の二酸化炭素ガスをヒートポンプ配管１８を介して高温側熱交換器１５の一次側１４に流入させることにより、高温側熱交換器１５の二次側１９との間で熱交換を行なうことができる。その結果、温度が低下し液化した高圧の二酸化炭素ガスをヒートポンプ配管１８により膨張弁１６に導入して通過時に断熱膨張させることにより、二酸化炭素ガスは冷却されて、低温低圧の状態の液体にすることができる。そして、低温低圧の二酸化炭素の液体をヒートポンプ配管１８を介して再び低温側熱交換器１７に流入させることにより、外気から熱を吸収させてガスにすることができる。このような操作を繰り返すことにより、外気の熱を用いて高温側熱交換器１５の二次側１９を加熱することができる。
【０００９】
貯湯ユニット１２は、貯湯タンク２０と、高温水生成回路２１と、追い焚き回路２２を有している。
貯湯タンク２０は、下部側に水を貯留し、上部側に高温水（例えば、圧力が最高１７０ｋＰａ、温度が６５〜９０℃）を貯留することが可能な耐圧耐熱容器（例えば、圧力許容範囲が最高１９０ｋＰａ、温度許容範囲が最高１００℃）である。貯湯タンク２０の下部には、水道水を供給するための給水配管２３が接続され、給水配管２３の上流側には、例えば水道水の水圧を１７０ｋＰａ程度に減圧する水道水用減圧弁２４が設けられている。
貯湯タンク２０の上端部には、貯湯タンク２０の上部に貯留される高温水を取り出して、例えば蛇口２５から湯を供給する給湯配管２６が設けられている。そして、給湯配管２６の上流側には混合弁２７を介して水道水用減圧弁２４より下流側の給水配管２３から分岐した分岐配管２８が接続されている。また、混合弁２７より上流側の給湯配管２６には逃がし弁２９を備えた放出配管３０が接続されている。これによって、貯湯タンク２０内の圧力が上限圧力（例えば、１９０ｋＰａ）に到達すると高温水を流出させて圧力を低下させることができる。更に、混合弁２７よりも下流側の給湯配管２６には、停止弁３１を備え浴槽３２の給湯口３３に浴水を供給する浴水供給配管３４が接続されている。
貯湯タンク２０の側壁の上部側には貯湯タンク２０に貯留された高温水の残り湯の下限値を検知する下限レベル計３５、下限レベル計３５よりも下方の側壁には高温水の残り湯の上限値を検知する上限レベル計３６が設けられ、更に、貯湯タンク２０の側壁の下部側には貯湯タンク２０内の総貯留量を検知する給水レベル計３７が設けられている。ここで、下限レベル計３５、上限レベル計３６、及び給水レベル計３７には、例えば温度センサを使用することができる。
【００１０】
高温水生成回路２１は、貯湯タンク２０の下部と高温側熱交換器１５の二次側１９の入口とを接続する往き配管３８を有している。そして、往き配管３８には、貯湯タンク２０の接続側に三方弁４０、三方弁４０の下流側に貯湯タンク２０の下部から水を吸引する沸き上げポンプ４１、沸き上げポンプ４１の下流側に往き配管３８内の水の温度を検知する入水温度センサ４２がそれぞれ設けられている。また、高温水生成回路２１は、高温側熱交換器１５の二次側１９の出口に一端側が接続された戻り配管３９と、戻り配管３９の他端側に設けられた三方弁４４と、三方弁４４の一方の口と貯湯タンク２０の上部とを接続する沸き上げ配管４４ａを有している。なお、戻り配管３９には温度センサ４３が設けられている。更に、三方弁４４の他方の口には、貯湯タンク２０の下部とを接続する分岐配管４５が取付けられている。
【００１１】
このような構成とすることにより、貯湯タンク２０の下部から水を沸き上げポンプ４１で吸引して高温側熱交換器１５の二次側１９に供給して加熱することができる。このとき、入水温度センサ４２と温度センサ４３の測温結果に基づいて高温側熱交換器１５の一次側１４を通過する二酸化炭素ガスの温度を調節して加熱温度を制御することができる。更に、運転初期や低温側熱交換器１７に付着した霜を取り除く徐霜運転時には、温度センサ４３で測定した温度が低くなるが、リモコン（図示せず）で予め設定した沸き上げ温度より一定温度（例えば１０℃）を超えて低い場合は非高温水と判定して、三方弁４４を切り替えて分岐配管４５を介して貯湯タンク２０の下部に戻す。また、温度センサ４３で測定した温度がリモコンで予め設定した沸き上げ温度より一定温度（例えば１０℃）低い温度以上の場合は高温水と判定して、三方弁４４を切り替え戻り配管３９から沸き上げ配管４４ａ内を通過させて貯湯タンク２０の上部に戻す。このため、時間の経過と共に、貯湯タンク２０の上部には次第に高温水が貯留されていく。その結果、貯湯タンク２０の上部には高温水が貯留され、貯湯タンク２０の下部には水が貯留され、貯湯タンク２０の中間部には、高温水と水が混合した混合層が形成されることになる。
【００１２】
追い焚き回路２２は、追い焚き用熱交換器４６と、貯湯タンク２０上部に貯留されている高温水を追い焚き用熱交換器４６の一次側に供給する高温水供給配管４７と、一次側から排出される熱交換後の温水を三方弁４０を介して往き配管３８に流入させる温水送水配管４８を有している。また、追い焚き回路２２は、浴槽３２に貯留されている浴水を吸引口４９から吸引して追い焚き用熱交換器４６の二次側に供給する浴水送水配管５０と、熱交換後の浴水を浴水供給配管３４の停止弁３１よりも下流側に流入させる浴水戻り配管５１を有している。更に、浴水戻り配管５１には風呂循環ポンプ５２が設けられ、風呂循環ポンプ５２の上流側には熱交換後の浴水の温度を測定する温度センサ５３、下流側には浴水戻り配管５１内の浴水流通を検知する水量センサ５４がそれぞれ設けられている。
【００１３】
従って、三方弁４０を切り替えて往き配管３８と温水送水配管４８を連通状態とし、また三方弁４４を切り替えて戻り配管３９と分岐配管４５との接続を断つことにより、追い焚き用熱交換器４６の一次側と貯湯タンク２０の間で、高温水供給配管４７、温水送水配管４８、往き配管３８、高温側熱交換器１５の二次側１９、及び戻り配管３９からなる循環経路を形成することができる。一方、追い焚き用熱交換器４６の二次側と浴槽３２の間で、浴水送水配管５０、浴水戻り配管５１からなる循環経路を形成することができる。
その結果、沸き上げポンプ４１を運転して高温水供給配管４７により追い焚き用熱交換器４６の一次側に高温水を供給すると共に、風呂循環ポンプ５２を運転して浴水送水配管５０から浴水を追い焚き用熱交換器４６の二次側に浴水を供給することにより、高温水との熱交換で浴水の追い焚き（再加熱）を行なって浴槽３２に戻すことができる。また、高温水は熱交換されて温度が低下して温水となるが、その温水を高温側熱交換器１５の二次側１９に供給しての高温高圧の二酸化炭素ガスとの間で熱交換させて再び高温水として、戻り配管３９を介して貯湯タンク２０の上部に戻すことができる。
【００１４】
次に、本発明の一実施の形態に係る追い焚き用熱交換器付きヒートポンプ式給湯設備１０の使用方法について詳細に説明する。
先ず、給水配管２３から供給する水道水の水圧を水道水用減圧弁２４で低下させて貯湯タンク２０の下部から流入させる。流入した水道水は貯湯タンク２０の下部側に設けられた給水レベル計３７で確認され、規定量の水道水が流入した時点で、すなわち貯湯タンク２０内の水圧が上昇し、水道水用減圧弁２４の設定圧力に達した時点で水道水の流入を停止する。
続いて、三方弁４０を切り替えて往き配管３８と貯湯タンク２０の下部とを連通状態とし、また三方弁４４を切り替えて戻り配管３９と分岐配管４５とを連通状態とする。そして、貯湯タンク２０の下部から水を三方弁４０を介して往き配管３８に設けられた沸き上げポンプ４１で吸引し、高温側熱交換器１５の二次側１９に供給して、戻り配管３９、三方弁４４、分岐配管４５を経由して貯湯タンク２０の下部に戻すことにより、貯湯タンク２０の下部の水を高温側熱交換器１５の二次側１９に循環させる。一方、ヒートポンプユニット１１では、低温側熱交換器１７に設けられた図示しない送風ファンと圧縮機１３を運転することにより、低温の二酸化炭素の液体を低温側熱交換器１７で大気熱により加熱してガスとし、圧縮機１３で圧縮して更に高温の二酸化炭素ガスとして高温側熱交換器１５の一次側１４に流入させ冷却して液体として、排出された二酸化炭素の液体を膨張弁１６を通過させ再び低温側熱交換器１７で加熱してガスとする操作を繰り返す。その結果、高温側熱交換器１５の一次側１４を通過する高温二酸化炭素ガスと二次側１９を通過する水との間で熱交換が行なわれ、水は加熱される。
【００１５】
ヒートポンプユニット１１の運転時間が長くなるにつれて、高温側熱交換器１５で加熱されて出てくる水の温度も次第に上昇してくる。そこで、温度センサ４３で測定される温度が、リモコンで予め設定した沸き上げ温度より一定温度（例えば１０℃）低い温度以上となった時点で高温水と判断し、三方弁４４を切換え戻り配管３９と分岐配管４５との接続を断って沸き上げ配管４４ａにより貯湯タンク２０の上部に戻すようにする。このため、貯湯タンク２０の上部側には高温水が流入し、貯湯タンク２０の上部から層状に徐々に高温水が貯留されるようになる。入水温度センサ４２が一定温度（例えば６０℃）を検知すると、ヒートポンプユニット１１の運転を停止する。なお、以上の運転は、通常、電気料金が低額に設定されている深夜時間帯で行なう。
【００１６】
貯湯タンク２０の上部に貯留された高温水は、通常、昼間時間帯に使用する。
例えば、浴槽３２に浴水を貯留する場合は、追い焚き用熱交換器付きヒートポンプ式給湯設備１０の図示しない制御装置で浴水の温度を設定し、浴水供給配管３４に設けられた停止弁３１を開とすることにより行なう。このとき、貯湯タンク２０の上部に貯留されている高温水が給湯配管２６内に流入し、混合弁２７において、制御装置で設定された温度となるように、高温水に対して所定割合で水道水が給水配管２３から流入して浴水が形成される。次いで、浴水が、給湯配管２６に接続した浴水供給配管３４を経由して浴槽３２内に流出し、浴水の貯留が開始される。所定量の浴水が浴槽３２に貯留されたことが、例えば、図示しない水量センサで確認されると、停止弁３１が閉になると共に、混合弁２７での水道水の混合も停止する。
また、給湯配管２６に設けられた蛇口２５で湯を使用する場合は、追い焚き用熱交換器付きヒートポンプ式給湯設備１０の図示しない制御装置で湯の温度を設定し、給湯配管２６に設けられた蛇口２５を開くことにより湯が得られる。このとき、貯湯タンク２０の上部に貯留されている高温水が給湯配管２６内に流入し、混合弁２７において、制御装置で設定された温度となるように高温水に対して所定割合で水道水が給水配管２３から混合して湯が形成される。この湯が、給湯配管２６を経由して蛇口２５から流出する。
【００１７】
浴槽３２に貯留されている浴水の追い焚きを行なう場合は、追い焚き用熱交換器付きヒートポンプ式給湯設備１０の図示しない制御装置で追い焚き運転を指示することにより行なう。なお、浴槽３２に設けられた図示しない浴水用温度センサで測定された浴水温度が浴水の設定温度よりも、例えば２℃低下したことを検知した時点で、制御装置から自動的に追い焚き運転の指示が出されるようにしてもよい。
追い焚き運転が指示されると、停止弁３１を閉じて風呂循環ポンプ５２の運転を開始し、浴槽３２の吸引口４９から吸引された浴水が追い焚き用熱交換器４６の二次側を通過して給湯口３３から浴槽３２内に流入する浴水の循環流を形成する。同時に、ヒートポンプユニット１１の運転を開始し、更に、三方弁４０を切り替えて往き配管３８と温水送水配管４８を連通状態にすると共に、三方弁４４を切り替えて戻り配管３９と分岐配管４５との接続を断って、沸き上げポンプ４１を運転して、貯湯タンク２０上部に貯留されている高温水を追い焚き用熱交換器４６の一次側、高温用熱交換器１５の二次側１９を経由させて貯湯タンク２０の上部に戻す循環流を形成する。このため、追い焚き用熱交換器４６では、追い焚き用熱交換器４６の一次側を通過する高温水と二次側を通過する浴水との間で熱交換が行なわれ、浴水は温度が上昇して浴槽３２に戻る。一方、高温水の温度は低下して温水となる。
【００１８】
追い焚き用熱交換器４６の一次側から排出した温水は、高温用熱交換器１５の二次側１９を通過し、この際、高温側熱交換器１５の一次側１４を通過する高温の二酸化炭素ガスとの間で熱交換が行なわれ再び高温水となって貯流タンク２０の上部に戻される。このように、温水を加熱し高温水として貯留タンク２０の上部に戻すために、貯湯タンク２０内に温度差に基づく撹拌流が発生することはない。その結果、貯湯タンク２０下部に貯留されている水と高温水とが混合することはなく、高温水の温度は維持される。
なお、浴槽３２内の浴水温度が設定温度に到達したことが浴水用温度センサで検知されると、ヒートポンプユニット１１、沸き上げポンプ４１、風呂循環ポンプ５２の運転が停止して追い焚き運転を終了する。
【００１９】
以上、本発明の実施の形態を説明したが、本発明は、この実施の形態に限定されるものではなく、発明の要旨を変更しない範囲での変更は可能であり、前記した実施の形態や変形例の一部又は全部を組み合わせて本発明の追い焚き用熱交換器付きヒートポンプ式給湯設備を構成する場合にも本発明は適用される。例えば、追い焚き用熱交換器から排出された温水は、高温側熱交換器の二次側で加熱して貯湯タンクの上部に戻すようにしたが、温度センサで熱交換後の温度を測定し、リモコンで予め設定した沸き上げ温度より一定温度（例えば１０℃）を超えて低い場合は三方弁を切替えて貯湯タンクの下部に戻し、リモコンで予め設定した沸き上げ温度より一定温度（例えば１０℃）低い温度以上になると三方弁を再度切替え貯湯タンクの上部に戻すようにしてもよい。このように温度センサで測定される温度により貯湯タンクに戻す際の場所を変えることにより、貯湯タンク内での温度差に基づく撹拌流の発生を抑えて、高温水の温度低下を防止することができる。
【００２０】
【発明の効果】
請求項１及び２記載の追い焚き用熱交換器付きヒートポンプ式給湯設備においては、浴槽中の浴水を二次側に循環させて加熱する追い焚き用熱交換器が設けられ、追い焚き用熱交換器の一次側には貯湯タンク上部からの高温水を流入させると共に、追い焚き用熱交換器の一次側の熱交換後の温水を高温側熱交換器の二次側に戻すので、温水は高温側熱交換器で再加熱されて高温水になって貯湯タンク内に戻り貯湯タンク内の撹拌流の発生が防止できて、貯湯タンク内の高温水の温度低下を防止することが可能となる。また、温水の再加熱にはヒートポンプユニットを使用するので、昼間時間帯の電力を使用しても低コストで再加熱を行なうことができ、追い焚きのランニングコストを低減することが可能となる。
【００２１】
請求項２記載の追い焚き用熱交換器付きヒートポンプ式給湯設備においては、冷媒に二酸化炭素を使用するので、貯湯タンクに貯留する高温水の温度を、例えば９０℃程度の高温にすることができ、追い焚き時間を短縮することが可能になる。また、追い焚き時間が短縮されることにより、ランニングコストの低減を図ることが可能となる。
【図面の簡単な説明】
【図１】本発明の一実施の形態に係る追い焚き用熱交換器付きヒートポンプ式給湯設備の説明図である。
【符号の説明】
１０：追い焚き用熱交換器付きヒートポンプ式給湯設備、１１：ヒートポンプユニット、１２：貯湯ユニット、１３：圧縮機、１４：一次側、１５：高温側熱交換器、１６：膨張弁、１７：低温側熱交換器、１８：ヒートポンプ配管、１９：二次側、２０：貯湯タンク、２１：高温水生成回路、２２：追い焚き回路、２３：給水配管、２４：水道水用減圧弁、２５：蛇口、２６：給湯配管、２７：混合弁、２８：分岐配管、２９：逃がし弁、３０：放出配管、３１：停止弁、３２：浴槽、３３：給湯口、３４：浴水供給配管、３５：下限レベル計、３６：上限レベル計、３７：給水レベル計、３８：往き配管、３９：戻り配管、４０：三方弁、４１：沸き上げポンプ、４２：入水温度センサ、４３：温度センサ、４４：三方弁、４４ａ：沸き上げ配管、４５：分岐配管、４６：追い焚き用熱交換器、４７：高温水供給配管、４８：温水送水配管、４９：吸引口、５０：浴水送水配管、５１：浴水戻り配管、５２：風呂循環ポンプ、５３：温度センサ、５４：水量センサ
【図１】
2004053204.tif 000003